(57)【特許請求の範囲】
【請求項１】
映像情報を表示する映像表示部を有する映像表示装置であって、
複数のカメラから供給されたカメラ映像を取得して被写体を解析する映像解析部と、
該映像解析部で解析された前記被写体と前記映像表示装置との間の距離を算出する距離算出部と、
前記複数のカメラのうち所定の１台のカメラから供給されたカメラ映像が含む前記被写体の、前記距離算出部で算出された前記映像表示装置との間の距離に基づき、他のカメラが撮像する画角を制御するカメラ制御部と、
前記カメラ制御部で制御された前記他のカメラから供給されたカメラ画像の被写体の前記映像解析部における解析結果に基づき前記映像表示部に前記被写体に提供する映像情報を表示する表示領域を設け、前記距離算出部で算出された前記被写体と前記映像表示装置との間の距離に基づき前記映像表示部に映像情報を表示させる制御部と、
前記カメラ制御部で制御された前記他のカメラから供給されたカメラ画像の被写体の、前記映像解析部における解析結果に基づき映像情報を表示する場合に、前記２つ以上の表示領域のうち、前記被写体に提供する映像情報を表示する表示領域に、他の表示領域に表示している映像情報を表示する表示内容選択部
を有することを特徴とする映像表示装置。
【請求項２】
請求項１に記載の映像表示装置であって、
前記映像解析部が行う解析とは、前記被写体が映像表示装置を見ているか否かをカメラ映像から解析することであり、
前記制御部は、前記被写体が前記映像表示装置を見ている場合は、前記映像表示部に前記被写体に映像情報を提供する表示領域を作成し、
前記被写体が前記映像表示装置を見ていない場合は、前記映像表示部に前記被写体に映像情報を提供する表示領域を作成しないこと、
を特徴とする映像表示装置。
【請求項３】
請求項１に記載の映像表示装置であって、
前記制御部は、前記距離算出部が算出した距離が閾値よりも遠い場合は、前記距離算出部が算出した距離が前記閾値よりも近い場合に表示するサイズよりも大きなサイズの映像、文字を、前記映像表示部に作成した前記被写体に映像情報を提供する表示領域に表示すること、
を特徴とする映像表示装置。
【請求項４】
請求項１に記載の映像表示装置であって、
前記表示内容選択部は、前記被写体に提供する映像情報を表示する表示領域に、他の表示領域に表示している映像情報を表示する場合に、他の表示領域に表示している映像情報を先頭から表示する
ことを特徴とする映像表示装置。
【請求項５】
請求項１に記載の映像表示装置であって、
前記映像解析部は、前記他のカメラから供給されたカメラ映像により解析された特定領域を、前記所定の１台のカメラ映像における映像解析対象から除く
ことを有することを特徴とする映像表示装置。
【請求項６】
請求項１に記載の映像表示装置であって、
前記映像解析部が解析した結果の情報と解析時に前記映像表示部に表示していた映像とを関連付けて記憶する記憶部
を有することを特徴とする映像表示装置。
【請求項７】
請求項１に記載の映像表示装置であって、
映像情報を記憶する記憶部と、
前記映像表示部に表示する映像情報をネットワーク経由で外部から受信して前記記憶部に記憶させる書き込み部と、
前記記憶部に記憶された映像情報を読み出して前記ネットワーク経由で外部へ送信する読み出し部と、
を有することを特徴とする映像表示装置。
【発明の詳細な説明】
【技術分野】
【０００１】
視聴者に対して情報を提供する映像表示装置に関する。
【背景技術】
【０００２】
視聴者に対して情報を提供する映像表示装置の背景技術として下記の特許文献１がある。特許文献１では、表示装置を見る人に適切な広告を流すため、表示装置を見るユーザに向けられたカメラを用いてユーザの顔を検出し、性別や大人・子供といった属性を取得し、その検出頻度に応じて表示装置に表示する広告などの画像を選択し表示する技術が開示されている。
【先行技術文献】
【特許文献】
【０００３】
【特許文献１】特開２００５−２６７６１１号公報
【発明の概要】
【発明が解決しようとする課題】
【０００４】
視聴者が広告コンテンツを途中から視聴開始すると、広告コンテンツの内容を全て視聴することができない場合がある。この場合、広告者側としては視聴者に全ての情報を提供できず、広告効果に欠けることになる。視聴者側としても全ての情報を取得できずに終わるという問題がある。また、遠くから視認できるように映像内の例えば文字などを大きく表示した場合は、近くから見ている人にとっては見難く感じ、近くから見ている人が見易い大きさで表示すると、遠くからは見難くなる。
不特定多数の人物の状況や位置に応じて情報を伝達するという目的と、表示装置を見ている人物に適切な情報を伝達するという目的との両方を満たすような広告表示が望まれる。
【課題を解決するための手段】
【０００５】
前記した課題を解決するため、映像情報を表示する映像表示部を有する映像表示装置であって、複数のカメラから供給されたカメラ映像を取得して被写体を解析する映像解析部と、該映像解析部で解析された前記被写体と前記映像表示装置との間の距離を算出する距離算出部と、前記複数のカメラのうち所定の１台のカメラから供給されたカメラ映像が含む前記被写体の、前記距離算出部で算出された前記映像表示装置との間の距離に基づき、他のカメラが撮像する画角を制御するカメラ制御部と、前記距離算出部で算出された前記被写体と前記映像表示装置との間の距離に基づき前記映像表示部に２つ以上の表示領域を設け、前記カメラ制御部で制御された前記他のカメラから供給されたカメラ画像の被写体の前記映像解析部における解析結果に基づき前記映像表示部に映像情報を表示させる制御部と、を有する映像表示装置を提供する。
【発明の効果】
【０００６】
本発明によれば、映像表示装置は各視聴者に情報を提供しながら、不特定多数の視聴者に対しても情報を提供することができるという効果がある。
【図面の簡単な説明】
【０００７】
【図１】映像表示装置のブロック図の一例である。
【図２】映像表示装置の第１の設置状況を示す図の一例である。
【図３】映像表示装置と被写体の位置関係を示す平面図の一例である。
【図４】映像表示装置の第２の設置状況を示す図の一例である。
【図５】カメラＢの処理フロー図の一例である。
【図６】対象被写体決定処理の処理フロー図の一例である。
【図７】映像表示装置への映像コンテンツ表示の処理フロー図の一例である。
【図８】カメラＡの処理フロー図の一例である。
【図９】カメラの撮影領域を示す図の一例である。
【発明を実施するための形態】
【０００８】
図面を用いて実施形態の例を説明する。ただし、本発明は本実施例に限定されない。
図１は、映像表示装置１００のブロック図の一例である。撮像素子１０１及び１０２は被写体を撮像する。カメラ信号処理部１０３及び１０４は、撮像素子１０１及び１０２が撮像した撮像情報を光信号から電気信号に変換し、アナログ電気信号をデジタル信号に変換する。カメラ制御部１０５は、カメラ信号処理部１０３及び１０４の信号処理動作を制御する。システム制御部２００は、ＣＰＵ（Ｃｅｎｔｒａｌ Ｐｒｏｃｅｓｓｉｎｇ Ｕｎｉｔ）による制御作用を有し、映像解析部２０１、距離算出部２０２、被写体決定部２０３、書き込み部２０４、読み出し部２０５、表示領域決定部３０１、表示サイズ制御部３０２、表示内容選択部３０３を有し、映像表示装置１００の全体の動作を制御する。
【０００９】
映像解析部２０１、距離算出部２０２、被写体決定部２０３、書き込み部２０４、読み出し部２０５、表示領域決定部３０１、表示サイズ制御部３０２、表示内容選択部３０３は、システム制御部２００が、内蔵メモリ５００に記憶された映像解析プログラム２０１、距離算出プログラム２０２、被写体決定プログラム２０３、書き込みプログラム２０４、読み出しプログラム２０５、表示領域決定プログラム３０１、表示サイズ制御プログラム３０２、表示内容選択プログラム３０３を実行することでソフトウェアとして、映像解析、距離算出、被写体決定、書き込み、読み出し、表示領域決定、表示サイズ制御、表示内容選択の各機能を実現することができる。
【００１０】
また、ソフトウェアとして実現された各機能は映像解析部２０１、距離算出部２０２、被写体決定部２０３、書き込み部２０４、読み出し部２０５、表示領域決定部３０１、表示サイズ制御部３０２、表示内容選択部３０３などのように各処理を行う処理部として集積回路化するなどしてハードウェアとして実現することもできる。以下では説明を簡略化するために、映像解析プログラム２０１、距離算出プログラム２０２、被写体決定プログラム２０３、書き込みプログラム２０４、読み出しプログラム２０５、表示領域決定プログラム３０１、表示サイズ制御プログラム３０２、表示内容選択プログラム３０３をシステム制御部２００が実行することで実現される各処理を、各処理部が主体となって行うものとして説明する。なお、各処理部をハードウェアで実現した場合には、その各処理部が主体となって各処理を行う。
【００１１】
表示部３００は、例えば記憶部５００に記憶された映像コンテンツ、例えば商品の広告情報の表示を行う。入出力端子４０１から入力された映像情報を表示する機能があっても良い。電源部４００は、映像表示装置１００を駆動するため、電池または商用電源から取得した電力を映像表示装置１００に供給する。入出力端子４０１は外部接続された他機器との間で情報信号を授受する。記憶部５００は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｋ）、ＩＣカード（Ｉｎｔｅｇｒａｔｅｄ  Ｃｉｒｃｕｉｔ  Ｃａｒｄ）、半導体メモリなどの記憶装置であり、映像や映像の再生順、プログラム、テーブルなどの情報を記憶する。映像や映像の再生順などの情報は、例えば入出力端子４０１から供給され、書き込み部２０４により記憶部５００に書き込まれる。なお、記憶部５００は複数あってもよく、異なる種類の記憶手段であってもよい。さらに、記憶部５００は内蔵でも外付けでもよい。
【００１２】
また、記憶部５００に保持された情報は、読み出し部２０５により読み出されて各構成要素に供給されるが、入出力端子４０１を経由して外部接続された他機器に伝送されても良い。入出力端子４０１はネットワーク（図示せず）を介して他機器と接続されても良い。この場合、映像表示装置１００は、ネットワークを介して他機器から送信された映像コンテンツを表示部３００に表示することができる。
【００１３】
本実施例では、２個のカメラを映像表示装置１００に搭載したが、外部接続された２個のカメラからの映像を映像表示装置１００に入力する構成でもよい。
また、本実施例ではカメラの個数を２個としたが、２個以上であってもよい。
【００１４】
図２は、映像表示装置１００の第１の設置状況を示す図の一例である。映像表示装置１００の上部にカメラを２個設置している。映像表示装置１００の前に被写体Ａ、被写体Ｂ、被写体Ｃ、被写体Ｄ、被写体群Ｅが存在している。被写体Ｂと被写体Ｄは映像表示装置１００を見ておらず、その他の被写体は映像表示装置１００を見ているとする。
【００１５】
図３は、映像表示装置１００と被写体の位置関係を示す平面図の一例であり、図２の映像表示装置１００と被写体Ａ〜Ｅを上方から見下ろした状態を示している。
人物が立ち止まって表示画面を見ている場合や、映像表示装置１００に近付くといった動作を行った場合には、表示されている内容に興味があると考えられる。映像表示装置１００は立ち止まって表示画面を見ている人物、もしくは映像表示装置１００に近づくといった動作を行っている人物をカメラＢが撮影した映像から探索する。映像表示装置１００が行う探索方法として、例えば、撮像した被写体の形状や色から人の顔やその位置を検出し、その向きや動きから映像表示装置１００を見ている被写体Ａ、Ｃ、Ｅを検出するという方法がある。映像表示装置１００は、検出した人物の中からカメラＡを用いて最も映像表示装置１００の近くにいる被写体Ａを特定し、被写体Ａをズームしたり、被写体Ａが撮像できるようにカメラＡの向きを変えるなどして被写体Ａを追跡する。例えば、被写体Ａが第１の表示領域１に表示された広告に興味を持ち、ある場所で立ち止まり、もう少し情報が欲しいため映像表示装置１００に近付いたとする。この時、カメラＡは被写体Ａにズームし追跡しながら前記した被写体Ａが映像表示装置１００を見ているか否かと、映像表示装置１００と被写体Ａとの距離の変化を得る。
【００１６】
また、第１の表示領域１と別の領域に、被写体Ａの位置に応じて第２の表示領域２を作成し、映像表示装置１００に対し比較的近い位置にいる被写体Ａにとって、適切な状態で広告を表示する。映像出力装置１００は、適切な状態にするために、例えば、第２の表示領域２の大きさ、位置などを変更する。例えば被写体Ａと映像出力装置１００との距離が第１の閾値よりも遠い場合は、映像出力装置１００は第２の表示領域２を標準の大きさよりも大きく表示することで、映像を視認しやすくする。また、前記の距離が第２の閾値よりも近い場合は、映像出力装置１００は第２の表示領域２を標準の大きさよりも小さく表示することで、映像全体の把握を容易にさせる。
また、第１の表示領域１は例えば被写体群Ｅのいる遠い場所から認識しやすいように文字や画像を大きく表示するが、第２の表示領域２は被写体Ａ向けの適切な大きさの文字や画像を表示することができる。ここで、適切な大きさの文字や画像とは、被写体Ａが視認しやすい大きさの文字や画像のことである。被写体Ａが映像表示装置１００の近くに移動することによって、細かい文字や小さな画像でも充分に視認できる場合がある。このため、映像表示装置１００と被写体との距離が閾値よりも小さい場合は、文字や画像を標準よりも小さくする代わりに情報量を増大させることができる。さらに、後述する方法で映像解析部２０１が人物の認識を行った結果、被写体Ａが高齢者であると判断した場合は、映像表示装置１００は、文字や画像の大きさを標準の大きさよりも大きく表示するといった制御を行ってもよい。
【００１７】
図４は、映像表示装置１００の第２の設置状況を示す図の一例である。本設置例では複数の映像表示装置１００Ａ〜１００Ｉを組み合わせて大画面を実現している。ここでは、６個の映像表示装置１００Ａ〜１００Ｆを用いて第１の表示領域１を実現し、画面下部の映像表示装置１００Ｇ〜１００Ｉのそれぞれ、或いはいずれか一つを第２の表示領域２として利用する例を示している。図４の例においても、第１の表示領域１は例えば被写体群Ｅのいる遠い場所から認識しやすいように文字や画像を大きく表示するが、上述したように、第２の表示領域２は被写体Ａ向けの適切な大きさの文字や画像を表示することができる。
図５は、カメラＢの処理フロー図の一例である。以下、図１の撮像素子１０１とカメラ信号処理部１０３はカメラＡの構成要素、撮像素子１０２とカメラ信号処理部１０４はカメラＢの構成要素とする。
【００１８】
映像解析部２０１は、撮像素子１０２で撮像した映像をカメラ信号処理部１０４を介して取得する（ステップＳ５０１）。映像解析部２０１は、取得した映像を解析する（ステップＳ５０２）。映像解析部２０１は例えば被写体である人物の顔を、色や目、鼻、口を検出して認識することや、人物が映っていない予め取得しておいた画像と入力画像との差分により人物の位置を認識するなどの解析を行う。距離算出部２０２は、予め画面内の画素位置と距離とがマッピングされ記憶部５００に保持されたマッピング情報から、映像解析部２０１が認識した被写体と映像表示装置１００の間の距離情報を算出する（ステップＳ５０３）。
【００１９】
被写体決定部２０３は、ステップＳ５０２で映像解析部２０１が解析した人物などの被写体情報と、ステップＳ５０３で距離算出部２０２が取得した距離情報から、対象となる被写体を決定する（ステップＳ６００）。被写体決定部２０３は、例えば図２で示した被写体のうち、映像表示装置１００を見ており、かつ最も映像表示装置１００に近い被写体である被写体Ａを対象と決定する。なお、ステップＳ６００については図６で詳しく説明する。
【００２０】
次に、システム制御部２００は、カメラ制御部１０５からカメラＡがズーム中であるかどうかを取得する（ステップＳ５０４）。カメラＡがズーム中でなければ（図のＮｏ）、システム制御部２００はカメラＡを制御し、カメラＡをステップＳ６００で決定した対象の被写体へズームする（ステップＳ５０５）。カメラＡがズーム中であれば（図のＹｅｓ）、システム制御部２００はカメラＡ制御情報を、例えば記憶部５００に保持しておく（ステップＳ５０６）。カメラＡ制御情報は、次のズーム対象者に関する例えば位置情報であり、図２で示した例えば被写体Ｃに関わる情報である。システム制御部２００は、ズーム時に表示部３００に表示していたコンテンツを示すコンテンツの名称やＩＤなどのコンテンツ情報を、記憶部５００に保持する（ステップＳ５０７）。
【００２１】
図６は、対象被写体決定処理Ｓ６００の処理フロー図の一例である。
映像解析部２０１は、カメラＡの現在のズーム対象である被写体以外に、映像表示装置１００を見ている人がいるかどうかをカメラＢの画像から判定する（ステップＳ６０１）。ステップＳ６０１における映像解析部２０１の解析は、ステップＳ５０２における解析と同様の方法を用いることができる。映像解析部２０１は、例えば図２におけるカメラＡが現在ズーム対象としてる被写体Ａ以外に、被写体Ｃや被写体群Ｅのように映像表示装置１００を見ている人がいるかどうかをカメラＢの画像から判定する。映像表示装置１００を見ている人がいる場合は（図のＹｅｓ）被写体決定部２０３は、該当する人の中から最も映像表示装置１００からの距離が近い人をカメラＡの被写体として選択する（ステップＳ６０２）。映像表示装置１００を見ている人がいない場合は（図のＮｏ）、映像解析部２０１は、映像表示装置１００の周辺に人物がいるかどうかを判定する（ステップＳ６０３）。ステップＳ６０３において、映像解析部２０１は、例えば図２における被写体Ｂや被写体Ｄのように、映像表示装置１００を見ていない人物がいるかどうかを判定する。映像表示装置１００を見ている人物がいる場合は（図のＹｅｓ）、被写体決定部２０３は、いずれかの人物をカメラＡの被写体として選択する（ステップＳ６０４）。その際、予め設定した領域内にいる人物を選択してもよく、最も多く人物がいる領域中の人物を選択してもよい。一方、映像出力装置１００を見ている人物がいない場合は（図のＮｏ）、被写体決定部２０３は、予め設定した所定位置をカメラＡの撮像対象として選択する（ステップＳ６０５）。
被写体決定部２０３は、カメラＢにより次に選択する対象被写体エリアを選択する（ステップＳ６０３）。ここでは、カメラＡ向けに選択した被写体以外で例えば最も人がいる箇所を選択する。図２の例の場合は被写体群Ｅのエリアを選択する。上記の最も人がいる箇所の判断方法として、映像処理部２０１がカメラＡが撮像した映像を複数の領域に分割し、分割された領域の中で最も多くの顔を検知できた領域を最も人がいる箇所として判断する方法が例としてあげられる。
【００２２】
以上述べたように、図５と図６のフローにより、画角の広いカメラＢで撮像した被写体の映像を用いて、そのうちから特定の被写体を選択してカメラＡをズームし、該被写体の行動に関わる情報を得ることができる。
次に、映像コンテンツ表示処理フローを図７を用いて説明する。
【００２３】
図７は、映像表示装置１００への映像コンテンツ表示の処理フロー図の一例である。
本処理は、図５のステップＳ５０３においてカメラＢによりカメラＡ及びカメラＢの対象被写体までの距離を算出した後に行う。また図５のステップＳ５０７で保持したコンテンツ情報を使用する場合には、図５の処理フローが終了した後に開始して良い。
【００２４】
表示領域決定部３０１は、カメラＡとカメラＢの対象被写体向けの表示領域の大きさを決定する（ステップＳ７０１）。表示領域の大きさの決定方法として、カメラＡまたはカメラＢの対象被写体と、映像表示装置１００との距離に一定の比率を乗じた値を表示領域の大きさとしてもよい。また、予め被写体と映像表示装置１００の距離に閾値を設定しておき、閾値よりも近くなった場合に標準の大きさよりも小さいサイズに表示領域を縮小し、閾値よりも遠くなった場合に標準の大きさよりも大きいサイズに表示領域を拡大してもよい。また、表示領域決定部３０１は、カメラＡとカメラＢの対象被写体の位置に応じて表示部３００における表示位置を決定する。例えば表示領域決定部３０１は、図４のように、被写体がＢの位置にいる場合は表示領域１００Ｈを選択し、Ａの位置にいる場合は表示領域１００Ｇを選択する、つまり、被写体Ａが映像表示装置１００の正面の右側にいる場合には右に位置する表示領域を選択し、左側に被写体Ａがいる場合は左に位置する表示領域を選択する、というように、第２の表示領域２の位置を被写体Ａの付近に表示させる。
【００２５】
表示内容選択部３０３は、ステップＳ７０１で決定した表示領域に表示する映像を決定する（ステップＳ７０２）。例えば表示内容選択部３０３は、ステップＳ５０７で保持したコンテンツや、そのコンテンツに予め関連付けられたコンテンツを選択する。これは、カメラＢにより探索した現在表示中のコンテンツに興味を持った被写体に対して、もう一度情報を提示してコンテンツの最初から表示する、または詳細情報を提示するためである。
【００２６】
表示サイズ制御部３０２は、決定したコンテンツの表示サイズを決定する（ステップＳ７０３）。ステップＳ７０３において、表示サイズ制御部３０２は、ステップＳ７０１で決めた表示領域に対して、コンテンツをどの大きさで表示するかを、例えば対象被写体までの距離に応じて決定する。距離に応じて表示の大きさを変える方法の一例として、対象被写体と映像表示装置１００との距離が予め設定された閾値よりも遠い場合はコンテンツをスクロールさせるなどして、文字や画像を標準の大きさよりも大きく表示し、対象被写体と映像表示装置１００との距離が予め設定された閾値よりも近い場合は、コンテンツを一画面にスクロールさせずに表示させる方法がある。
【００２７】
表示部３００は、表示領域決定部３０１及び表示内容選択部３０３及び表示サイズ制御部３０２から取得した情報に基づき映像コンテンツを表示する（ステップＳ７０４）。
次に、カメラＢにより制御されたカメラＡの処理フローを図８を用いて説明する。
【００２８】
図８は、カメラＡの処理フロー図の一例である。
本処理は、ステップＳ５０７で保持したコンテンツ情報を使用する場合には、図５の処理フローが終了した後に開始する。即ち、図７で示した映像コンテンツ表示の処理フローと並行して行っても良く、いずれかを先に行っても良い。
システム制御部２００は、カメラＡのカメラ信号処理部１０３から映像を取得する（ステップＳ８０１）。映像解析部２０１は、取得した映像を解析する（ステップＳ８０２）。たとえば顔の検知、器官検出、視線検出、表情検出などを行う。映像解析部２０１は、映像内に顔があるかどうかを色や目、鼻、口を検出して判定する（ステップＳ８０３）。顔が判定できる場合は（図のＹｅｓ）、映像解析部２０１は、ステップＳ８０３で取得した視線や表情などの検出した情報を取得し、前記情報を記憶部５００に記憶させる。これにより、ユーザが表示している映像コンテンツのどの部分に興味を持ったあるいは持たなかったなどの情報を収集する（ステップＳ８０５）。
【００２９】
一方、顔が判定できない場合は（図のＮｏ）、映像内に人（顔）が検出されていないので、システム制御部２００はカメラ制御部１０５に対し、カメラＢへカメラＢでの映像解析時に除外する領域情報を送信する（ステップＳ８０６）。例えば、図９の例に示す領域Ａの位置及びサイズ情報を送信する。カメラＢでは領域Ａが小さいため詳細に解析できなかったが、カメラＡをズームすることで詳細な映像を撮像することができ、解析できなかった領域Ａを解析できることがある。これにより、例えばカメラＢで決定した対象被写体情報が間違っていることをカメラＢにフィードバックすることで、対象被写体決定の精度向上が可能となる。または、カメラＢにおける映像解析時に領域Ａが小さいため詳細に解析できなかった対象を解析対象から除外することにより、映像解析時間の短縮が可能となりリアルタイム性が向上する。
【００３０】
システム制御部２００は、次にどの被写体にズームすればよいかという、ステップＳ５０６で記憶部５００に保持したカメラＡに係るカメラ制御情報を取得してカメラ制御部１０５に供給する（ステップＳ８０７）。カメラ制御部１０５は、供給された制御情報に基づきカメラＡに対してカメラ制御を行う（ステップＳ８０８）。
【００３１】
本実施例によれば、表示装置を見る不特定多数の人に適切に情報を伝達することができる。また、例えば広告コンテンツに興味を持った人に対して、特定の表示領域を用い先頭から視聴することや、より詳細な広告コンテンツを視聴することで、対象人物が欲しいと思っている情報を確実に伝達できる。また該当人物にカメラをズームすることで対象者の情報を取得することができるため広告者側としても有用な情報を得ることができる。このように視聴者側、広告社側共に利便性が向上する。
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００３２】
また、上記の各構成、機能、処理部、処理手段等は、それらの一部又は全部を、例えば集積回路で設計する等によりハードウェアで実現してもよい。また、上記の各構成、機能等は、システム制御部２００がそれぞれの機能を実現するプログラムを解釈し、実行することによりソフトウェアで実現してもよい。各機能を実現するプログラム、テーブル、ファイル等の情報は、メモリや、ハードディスク、ＳＳＤ等の記憶装置、または、ＩＣカード、ＳＤカード、ＤＶＤ等の記憶媒体に置くことができる。
【００３３】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３４】
１００：映像表示装置、１０１：撮像素子、１０２：撮像素子、１０３：カメラ信号処理部、１０４：カメラ信号処理部、１０５：カメラ制御部、２００：システム制御部、２０１：映像解析部、２０２：距離算出部、２０３：被写体決定部、２０４：書き込み部、２０５：読み出し部、３００：表示部、３０１：表示領域決定部、３０２：表示サイズ制御部、３０３：表示内容洗濯部、４００：電源部、４０１：他機器入出力端子、５００：記憶部。
【図１】
0005685685.tif 000002
【図２】
0005685685.tif 000003
【図３】
0005685685.tif 000004
【図４】
0005685685.tif 000005
【図５】
0005685685.tif 000006
【図６】
0005685685.tif 000007
【図７】
0005685685.tif 000008
【図８】
0005685685.tif 000009
【図９】
0005685685.tif 000010